(57)【特許請求の範囲】
【請求項１】
被写体を撮像して、二次的な画像に変換する前の撮像画像であるＲＡＷ画像を生成する撮像装置と、
前記ＲＡＷ画像に対して二次的な画像に変換する現像処理を施して汎用の画像データに変換する画像処理装置とを備えた画像処理システムにおいて、
前記撮像装置は、
前記ＲＡＷ画像の画像領域に電子透かしを埋め込む電子透かし部を備え、
前記画像処理装置は、
前記電子透かし部によって前記ＲＡＷ画像の画像領域に埋め込まれた電子透かしを除去する透かし除去部と、
前記透かし除去部によって電子透かしを除去した前記ＲＡＷ画像に対して、前記現像処理を施して汎用の前記画像データに変換する画像処理部とを備えた
ことを特徴とする画像処理システム。
【請求項２】
請求項１に記載の画像処理システムにおいて、
前記画像処理装置は、
前記画像処理部によって生成された汎用の前記画像データの画像領域に、前記透かし除去部が前記ＲＡＷ画像から分離した前記電子透かしを埋め込む透かし復活部を備えた
ことを特徴とする画像処理システム。
【請求項３】
被写体を撮像してＲＡＷ画像を生成する撮像装置と、
前記ＲＡＷ画像に対して画像処理を施して汎用の画像データに変換する画像処理装置とを備えた画像処理システムにおいて、
前記撮像装置は、
前記ＲＡＷ画像の画像領域に電子透かしを埋め込む電子透かし部を備え、
前記画像処理装置は、
前記電子透かし部によって前記ＲＡＷ画像の画像領域に埋め込まれた電子透かしを除去する透かし除去部と、
前記透かし除去部によって電子透かしを除去した前記ＲＡＷ画像に対して、画像処理を施して汎用の前記画像データに変換する画像処理部と、
前記画像処理部によって生成された前記画像データの画像領域に、前記透かし除去部が前記ＲＡＷ画像から分離した前記電子透かしを埋め込む透かし復活部と、
画像処理を施された前記画像データを表示する表示部を備え、
前記表示部は、前記画像データの縮小表示に際しては、電子透かしを埋め込まない画像を表示し、前記画像データの等倍以上の表示に際しては、電子透かしを埋め込んだ画像を表示する
ことを特徴とする画像処理システム。
【請求項４】
被写体を撮像してＲＡＷ画像を生成する撮像装置と、
前記ＲＡＷ画像に対して画像処理を施して汎用の画像データに変換する画像処理装置とを備えた画像処理システムにおいて、
前記撮像装置は、
前記ＲＡＷ画像の画像領域に電子透かしを埋め込む電子透かし部を備え、
前記画像処理装置は、
前記電子透かし部によって前記ＲＡＷ画像の画像領域に埋め込まれた電子透かしを除去する透かし除去部と、
前記透かし除去部によって電子透かしを除去した前記ＲＡＷ画像に対して、画像処理を施して汎用の前記画像データに変換する画像処理部とを備え、
前記電子透かし部は、
前記画像領域内の前記電子透かしの挿入エリアについて、前記ＲＡＷ画像の最上位ビットプレーンを抽出してデータ圧縮するビットプレーン圧縮部と、
前記ビットプレーン圧縮部のデータ圧縮の結果に、前記電子透かしの電子情報を付加して、前記最上位ビットプレーンに書き戻す透かし挿入部とを含む
ことを特徴とする画像処理システム。
【請求項５】
被写体を撮像してＲＡＷ画像を生成する撮像部と、
前記ＲＡＷ画像の画像領域に電子透かしを埋め込む電子透かし部とを備え、
前記電子透かし部は、
前記画像領域内の前記電子透かしの挿入エリアについて、前記ＲＡＷ画像の最上位ビットプレーンを抽出してデータ圧縮するビットプレーン圧縮部と、
前記ビットプレーン圧縮部のデータ圧縮の結果に、前記電子透かしの電子情報を付加して、前記最上位ビットプレーンに書き戻す透かし挿入部とを含むことを特徴とする撮像装置。
【請求項６】
ＲＡＷ画像に対して画像処理を施して汎用の画像データに変換する画像処理装置において、
前記ＲＡＷ画像の画像領域に埋め込まれた電子透かしを除去する透かし除去部と、
前記透かし除去部によって電子透かしを除去された前記ＲＡＷ画像に対して画像処理を施して汎用の前記画像データに変換する画像処理部と、を備え、
前記透かし除去部は、
前記ＲＡＷ画像の画像領域から最上位ビットプレーンを読み出し、
前記最上位ビットプレーンのうちから前記電子透かしが挿入された挿入エリアのデータを抽出し、
抽出されたデータから前記電子透かしの電子情報を除いて前記挿入エリアの最上位ビットプレーンの圧縮データを得た後に、前記圧縮データを伸長して前記挿入エリアの最上位ビットプレーンのビット情報を得て、前記ビット情報を前記最上位ビットプレーンの前記挿入エリアに書き戻すことを特徴とする画像処理装置。
【請求項７】
コンピュータを、請求項６に記載の画像処理装置として機能させるための画像処理プログラム。
【発明の詳細な説明】
【技術分野】
【０００１】
本発明は、ＲＡＷ画像（汎用の画像データに変換する前の撮像画像）の電子透かしの処理技術に関する。
【背景技術】
【０００２】
従来、ＪＰＥＧなどの画像データに対して、著作権情報などの電子透かしを埋め込む技術が知られている。
また、ＲＡＷ画像に関する電子透かし技術として、特許文献１の従来技術が知られている。この従来技術では、ＲＡＷ画像の画像領域に電子透かしを埋め込まず、ＲＡＷ画像のヘッダ領域などに電子透かしのデータを付加する。
このＲＡＷ画像をコンピュータなどで現像処理する場合、ＲＡＷ画像の画像領域には電子透かしは埋め込まれていないため、従前通りの現像処理が可能になる。
【特許文献１】特開２００３−４６７５８号公報（請求項１など）
【発明の開示】
【発明が解決しようとする課題】
【０００３】
上述した特許文献１では、ＲＡＷ画像の画像領域が何ら保護されない。そのため、コンピュータなどを用いてＲＡＷ画像の画像領域にアクセスすることにより、重要な画像情報が簡単に盗用されてしまう。
【０００４】
一般に、現像処理後の画像データ（ＪＰＥＧなど）は二次的な画像であり、ＲＡＷ画像がオリジナルである。また、ＲＡＷ画像は、現像処理後の画像データに比べて、精細な画像構造をより多く含む。
このような観点から、ＲＡＷ画像のオリジナル保護の方が、二次的な画像データの保護よりも優先されるべきである。
【０００５】
そこで、本発明の目的は、オリジナルであるＲＡＷ画像の盗用防止に適した技術を提供することである。
また、本発明の別の目的は、撮像装置の撮影直後から、ＲＡＷ画像の盗用を防止する技術を提供することである。
また、本発明の別の目的は、ＲＡＷ画像の現像処理中や処理後においても、画像盗用を防止する技術を提供することである。
【課題を解決するための手段】
【０００６】
《１》  本発明の画像処理システムは、被写体を撮像して、二次的な画像に変換する前の撮像画像であるＲＡＷ画像を生成する撮像装置と、ＲＡＷ画像に対して二次的な画像に変換する現像処理を施して汎用の画像データに変換する画像処理装置とを備える。
この撮像装置は、ＲＡＷ画像の画像領域に電子透かしを埋め込む電子透かし部を備える。
一方、画像処理装置は、電子透かし部によってＲＡＷ画像の画像領域に埋め込まれた電子透かしを除去する透かし除去部と、透かし除去部によって電子透かしを除去されたＲＡＷ画像に対して現像処理を施して汎用の画像データに変換する画像処理部とを備える。
【０００７】
《２》  なお好ましくは、画像処理装置は、画像処理部によって生成された汎用の画像データの画像領域に、透かし除去部がＲＡＷ画像から分離した電子透かしを埋め込む透かし復活部を備える。
【０００８】
《３》  本発明の他の画像処理システムは、被写体を撮像してＲＡＷ画像を生成する撮像装置と、ＲＡＷ画像に対して画像処理を施して汎用の画像データに変換する画像処理装置とを備える。
この撮像装置は、ＲＡＷ画像の画像領域に電子透かしを埋め込む電子透かし部を備える。
一方、画像処理装置は、電子透かし部によってＲＡＷ画像の画像領域に埋め込まれた電子透かしを除去する透かし除去部と、透かし除去部によって電子透かしを除去したＲＡＷ画像に対して、画像処理を施して汎用の画像データに変換する画像処理部と、画像処理部によって生成された画像データの画像領域に、透かし除去部がＲＡＷ画像から分離した電子透かしを埋め込む透かし復活部と、画像処理を施された画像データを表示する表示部を備える。
この表示部は、画像データの縮小表示に際しては、電子透かしを埋め込まない画像を表示し、画像データの等倍以上の表示に際しては、電子透かしを埋め込んだ画像を表示する。
なお、ＲＡＷ画像の画像領域に電子透かしが埋め込まれている場合に限って、画像表示に電子透かしをかけることが好ましい。
【０００９】
《４》  本発明の他の画像処理システムは、被写体を撮像してＲＡＷ画像を生成する撮像装置と、ＲＡＷ画像に対して画像処理を施して汎用の画像データに変換する画像処理装置とを備える。
この撮像装置は、ＲＡＷ画像の画像領域に電子透かしを埋め込む電子透かし部を備える。
一方、画像処理装置は、電子透かし部によってＲＡＷ画像の画像領域に埋め込まれた電子透かしを除去する透かし除去部と、透かし除去部によって電子透かしを除去したＲＡＷ画像に対して、画像処理を施して汎用の前記画像データに変換する画像処理部とを備える。
この電子透かし部は、ビットプレーン圧縮部、透かし挿入部とを含む。このビットプレーン圧縮部は、画像領域内の電子透かしの挿入エリアについて、ＲＡＷ画像の最上位ビットプレーンを抽出してデータ圧縮する。透かし挿入部は、ビットプレーン圧縮部のデータ圧縮の結果に電子透かしの電子情報を付加して、最上位ビットプレーンに書き戻す。
なお、電子透かしの挿入エリアに対して暗号化を施すことが好ましい。
【００１０】
《５》  本発明の撮像装置は、被写体を撮像してＲＡＷ画像を生成する撮像部と、ＲＡＷ画像の画像領域に電子透かしを埋め込む電子透かし部とを備える。この電子透かし部は、画像領域内の前記電子透かしの挿入エリアについて、ＲＡＷ画像の最上位ビットプレーンを抽出してデータ圧縮するビットプレーン圧縮部と、ビットプレーン圧縮部のデータ圧縮の結果に、電子透かしの電子情報を付加して、最上位ビットプレーンに書き戻す透かし挿入部とを含む。
【００１１】
《６》  本発明の画像処理装置は、ＲＡＷ画像に対して画像処理を施して汎用の画像データに変換する画像処理装置において、透かし除去部、および画像処理部を備える。
透かし除去部は、ＲＡＷ画像の画像領域に埋め込まれた電子透かしを除去する。
画像処理部は、透かし除去部によって電子透かしを除去されたＲＡＷ画像に対して画像処理を施して汎用の画像データに変換する。
この透かし除去部は、ＲＡＷ画像の画像領域から最上位ビットプレーンを読み出し、最上位ビットプレーンのうちから前記電子透かしが挿入された挿入エリアのデータを抽出し、抽出されたデータから電子透かしの電子情報を除いて挿入エリアの最上位ビットプレーンの圧縮データを得た後に、圧縮データを伸長して挿入エリアの最上位ビットプレーンのビット情報を得て、ビット情報を最上位ビットプレーンの挿入エリアに書き戻す。
【００１２】
《７》  本発明の画像処理プログラムは、コンピュータを、上記《６》に記載の画像処理装置として機能させるためのプログラムである。
【発明の効果】
【００１３】
本発明では、撮像装置において、ＲＡＷ画像の画像領域に電子透かしを埋め込む。したがって、コンピュータなどを用いてＲＡＷ画像の画像領域にアクセスしても、電子透かしの埋め込まれたデータしか得られない。そのため、ＲＡＷ画像の画像盗用を防止することができる。
【００１４】
一方、画像処理装置は、ＲＡＷ画像の画像領域に埋め込まれた電子透かしを除去する機能を備える。この除去機能によって、ＲＡＷ画像の画像領域から電子透かしを除去した上で、画像処理（いわゆる現像処理など）を行い、汎用の画像データに変換する。
【００１５】
上記の装置間においてＲＡＷ画像が仮に外部に流通したとしても、ＲＡＷ画像それ自体の画像領域には電子透かしが埋め込まれている。そのため、オリジナルであるＲＡＷ画像を確実に保護することができる。
【発明を実施するための最良の形態】
【００１６】
《実施形態の構成説明》
図１は、画像処理システム１の構成を示す図である。
図１において、画像処理システム１は、撮像装置１１と画像処理装置３１とから概略構成される。この撮像装置１１と画像処理装置３１との間では、通信媒体や記録媒体などを経由して、ＲＡＷ画像の受け渡しが行われる。
撮像装置１１は、撮像部１２、電子透かし部１３、電子情報部１７、および記録部１８を備える。この電子透かし部１３の内部には、ビットプレーン圧縮部１４、透かし挿入部１５、および暗号化部１６を備える。
一方、画像処理装置３１は、透かし除去部３２、画像処理部３３、表示部３４、透かし復活部３５、および記録部３６を備える。
なお、この画像処理装置３１は、コンピュータと画像処理プログラムとを用いてソフトウェア的に実現してもよい。また、画像処理装置３１をハードウェアによって実現してもよい。
【００１７】
《撮像装置１１の動作説明》
図２は、撮像装置１１の動作を説明する流れ図である。以下、図２に示すステップ番号の順に、撮像装置１１の動作説明を行う。
【００１８】
ステップＳ１：  撮像部１２は、被写体を撮像してＲＡＷ画像を生成する。このＲＡＷ画像は、撮像素子出力に近い、精細な画像構造を忠実に保存する画像データである。
【００１９】
ステップＳ２：  電子透かし部１３は、撮像装置１１のカスタム設定（ユーザーが予め選択可能な設定データ）に従って、ＲＡＷ画像に対する電子透かし処理を実施するか否かを決定する。
ＲＡＷ画像に対して電子透かし処理を実施する場合、電子透かし部１３はステップＳ３に動作を移行する。
一方、ＲＡＷ画像に対して電子透かし処理を実施しない場合、撮像装置１１は、従来同様のＲＡＷ画像の記録処理を実行する。
【００２０】
ステップＳ３：  電子情報部１７は、電子透かしに格納する電子情報を設定する。なお、この電子情報には、下記のいずれかのデータを含ませることが好ましい。
【００２１】
（１）著作権情報・・撮像装置１１固有または撮影者固有などに予め定められ、その著作権を後日証明するためのデータ。
（２）撮影情報・・・撮像装置１１の撮影データなどを特定可能なデータである。例えば、この撮影情報によって、撮影データの真正性などを後日証明することが可能になる。
（３）ＲＡＷ画像の画像領域から求めたハッシュ情報・・ＲＡＷ画像の下位１１ビットのハッシュ値や、全体１２ビットなどから求めたハッシュ値など。このようなハッシュ情報によって、画像領域の改竄などを後から判定することが可能になる。
（４）生体認証情報・・撮影者個人を照合するための生体認証情報
【００２２】
ステップＳ４：  電子透かし部１３は、ＲＡＷ画像の画像領域に電子透かしを埋め込む。例えば、図３に示す処理（Ａ１）〜（Ａ５）に従って、電子透かしの埋め込み処理が実行される。
【００２３】
（Ａ１）  ビットプレーン圧縮部１４は、ＲＡＷ画像の画像領域から、最上位ビットプレーンを読み出す。例えば、１２ビットのＲＡＷ画像であれば、最上位１２ビット目のビットプレーンを読み出す。ビットプレーン圧縮部１４は、この最上位ビットプレーンから、電子透かしを挿入するエリア（文字エリアや矩形エリアなど）のビット情報を抽出する。
【００２４】
（Ａ２）  ビットプレーン圧縮部１４は、抽出したビット情報をデータ圧縮する。通常、ＲＡＷ画像の最上位ビットプレーンはビット値「０」が多く、かつ「０」が連続的に発生しやすい。したがって、最上位ビットプレーンはデータ圧縮効率が高く、圧縮後の符号量を小さくすることができる。
【００２５】
（Ａ３）  透かし挿入部１５は、ビットプレーン圧縮部１４の圧縮データに、ステップＳ３で設定した電子情報を付加することにより、ＲＡＷ画像に書き込む電子透かしのデータを作成する。
【００２６】
（Ａ４）  透かし挿入部１５は、作成した電子透かしのデータを、最上位ビットプレーンの挿入エリアに埋め込む。
【００２７】
（Ａ５）  暗号化部１６は、挿入エリアの全ビットプレーン（最下位ビットから最上位ビットまで）に対して暗号化を施す。この暗号化により、電子透かしの安全性や真正性を高めることができる。
【００２８】
ステップＳ５：  記録部１８は、電子透かしを画像領域に埋め込まれたＲＡＷ画像を記録媒体に記録する。
【００２９】
《画像処理装置３１の動作説明》
図４は、画像処理装置３１の動作を説明する流れ図である。以下、図４に示すステップ番号の順に、画像処理装置３１の動作説明を行う。
【００３０】
ステップＳ１１：  画像処理装置３１は、通信媒体や記録媒体などを経由して、撮像装置１１で作成されたＲＡＷ画像を取り込む。
【００３１】
ステップＳ１２：  透かし除去部３２は、取り込んだＲＡＷ画像のデータ構造を解析し、電子透かしが埋め込まれているか否かを判断する。
電子透かしが埋め込まれている場合、透かし除去部３２は、ステップＳ１３に動作を移行する。
一方、電子透かしが埋め込まれていない場合、画像処理装置３１は、従来同様にＲＡＷ画像の現像処理を実施する。
【００３２】
ステップＳ１３：  透かし除去部３２は、ＲＡＷ画像の画像領域から電子透かしの挿入エリアを読み出す。なお、挿入エリアの位置や形状が不定形の場合は、挿入エリアを特定するためのデータをＲＡＷ画像のデータ領域に含ませておくことが好ましい。
透かし除去部３２は、読み出した挿入エリアのデータについて暗号解除を試み、暗号解除に成功した場合には、解除後のデータから電子情報を分離抽出する。この電子情報の分離抽出により、撮像装置１１側で設定された電子情報（ステップＳ３参照）を画像処理装置３１側で情報取得することが可能になる。
【００３３】
ステップＳ１４：  透かし除去部３２は、処理対象のＲＡＷ画像について、電子透かしの除去権限を有するか否かを判断する。
例えば、ステップＳ１３で得た電子情報から著作権情報を読み出し、その著作権情報が画像処理装置３１内の著作権許可リストに含まれている場合に、電子透かしの除去権限を有すると判断してもよい。
また、ステップＳ１３で暗号解除が不可能な場合は、電子透かしの除去権限が無いと判断してもよい。
また、ステップＳ１３で得た電子情報から生体認証情報を読み出し、画像処理装置３１側で取得したユーザーの生体認証情報と合致した場合に、電子透かしの除去権限を有すると判断してもよい。
ここでの判断の結果、電子透かしの除去権限を有する場合、透かし除去部３２はステップＳ１５に動作を移行する。一方、電子透かしの除去権限が無い場合、透かし除去部３２は、処理対象のＲＡＷ画像について現像処理を禁止する。
【００３４】
ステップＳ１５：  透かし除去部３２は、ＲＡＷ画像の画像領域から電子透かしを除去し、ＲＡＷ画像の画像領域を撮像時の状態に戻す。
例えば、図５に示す処理順（Ｂ１）〜（Ｂ５）に従って、電子透かしの除去処理が実行される。
【００３５】
（Ｂ１）  透かし除去部３２は、画像領域内の暗号化された挿入エリアを暗号解除し、暗号化前の状態に戻す。
【００３６】
（Ｂ２）  透かし除去部３２は、ＲＡＷ画像の画像領域から、最上位ビットプレーンを読み出す。透かし除去部３２は、この最上位ビットプレーンの内、電子透かしが挿入されたエリア（文字エリアや矩形エリアなど）のデータを抽出する。
【００３７】
（Ｂ３）  透かし除去部３２は、抽出した電子透かしのデータから電子情報を除いて、挿入エリアの最上位ビットプレーンの圧縮データを得る。
【００３８】
（Ｂ４）  透かし除去部３２は、圧縮データをデータ伸長し、挿入エリアの最上位ビットプレーンのビット情報を得る。
【００３９】
（Ｂ５）  透かし除去部３２は、この伸長後のビット情報を、最上位ビットプレーンの挿入エリアに書き戻す。その結果、電子透かしを除去したＲＡＷ画像（言い換えると、電子透かしを挿入する前のＲＡＷ画像）を得る。なお、透かし除去部３２は、このＲＡＷ画像の画像領域について求めたハッシュ情報と、電子情報に含まれるハッシュ情報とを対比することにより、ＲＡＷ画像の改竄を検出してもよい。
【００４０】
ステップＳ１６：  画像処理部３３は、電子透かしを除去したＲＡＷ画像に対して、画像処理（いわゆる現像処理）を実施する。なお、ここでの画像処理は、ＲＡＷ画像に格納される画像処理パラメータに従って、デフォルトの画像処理を実施してもよい。また、画像処理装置３１に対してユーザー入力される画像処理パラメータに従って、画像処理を実施してもよい。
このような画像処理を経ることによって、ＲＡＷ画像は撮像装置１１のメーカーに特化した専用フォーマットから、汎用画像処理ソフトで表示や印刷が可能な汎用の画像データに変換される。
【００４１】
ステップＳ１７：  表示部３４は、現像処理後の画像データを、画像処理装置３１のモニタ（不図示）に表示する。このとき、表示部３４は、画像データを等倍以上の拡大率で表示するか否かを判定する。
もしも、等倍以上の拡大率で表示する場合、表示部３４はステップＳ１８に動作を移行する。一方、等倍未満の縮小表示を実施する場合、表示部３４はステップＳ１９に動作を移行する。
【００４２】
ステップＳ１８：  表示部３４は、等倍以上で表示される画像データの表示域の一部を、透かしパターンで隠して表示する。これによって、画面キャプチャー用のソフトなどを用いて現像処理後の画像データが盗用されるといった事態を防ぐことができる。
なお、ここでの透かしパターンは、表示画像の盗用を防ぐことが主目的であるため、一部を画像以外の透かしパターンで隠す程度の簡易な電子透かしでもよい。
このような表示動作の後に、画像処理装置３１はステップＳ２０に動作を移行する。
【００４３】
ステップＳ１９：  表示部３４は、電子透かしを挿入せずに、画像データをそのまま縮小表示する。このような縮小表示は、等倍以上の表示に比べて画面キャプチャーによる画像盗用の弊害は少ない。また、このような縮小表示により、ユーザーは、電子透かしに妨害されることなく、現像処理後の画像データを確認することができる。
なお、等倍未満であっても、実質的に盗用を防ぎたい縮小率（例えば１／２倍表示）までは、表示域の一部を透かしパターンで隠してもよい。
【００４４】
ステップＳ２０：  透かし復活部３５は、画像処理装置３１のカスタム設定（ユーザーが予め選択可能な設定データ）に従って、現像処理後の画像データに電子透かしを埋め込むか否かを決定する。
電子透かしを埋め込む場合には、透かし復活部３５はステップＳ２１に動作を移行する。
電子透かしを埋め込まない場合には、透かし復活部３５はステップＳ２２に動作を移行する。
【００４５】
ステップＳ２１：  透かし復活部３５は、ステップＳ１３でＲＡＷ画像から分離した電子情報を、ステップＳ１６で生成された画像データの画像領域に埋め込む。なお、ここでの埋め込み処理は、上述したステップＳ４と同様の処理が可能なため、ここでの説明を省略する。
【００４６】
ステップＳ２２：  記録部３６は、画像データを記録媒体に記録する。
【００４７】
《本実施形態の効果など》
図６は、ＲＡＷ画像の保護効果を説明する図である。
図６に示す点線域は、ＲＡＷ画像の電子透かしを正当に除去できない画像処理装置（以下「不許可装置」という）である。
仮に、この不許可装置において、電子透かしの挿入エリアを無理にデータ操作すれば、挿入エリアに含まれる画像情報が即座に破損する。その結果、ＲＡＷ画像中のオリジナル画像を確実に保護することが可能になる。
【００４８】
また仮に、不許可装置が、電子透かしが埋め込まれたままのＲＡＷ画像を無理に現像処理（例えば色補間など）すれば、電子透かしの挿入エリアを中心に現像処理が破綻する。そのため、現像処理後の画像データには、破綻箇所が可視透かしとなって現れる。したがって、この場合も、現像処理後の画像データを確実に保護することができる。
【００４９】
一方、図６に示す二重線域は、画像処理装置３１であって、電子透かしの除去機能を有する。この画像処理装置３１は、ＲＡＷ画像の現像処理に先だって、ＲＡＷ画像から電子透かしを除去することができる。したがって、ＲＡＷ画像の画像領域を電子透かしの挿入前に戻し、正常な現像処理を実行することが可能になる。
【００５０】
さらに、本実施形態では、画像処理装置３１が現像処理後の画像データに、電子透かし（電子情報）を再び埋め込む。したがって、画像処理装置３１で現像された後も、画像盗用を確実に阻止することができる。
【００５１】
また、本実施形態の画像処理装置３１は、等倍以上の画像表示に際して、電子透かしを埋め込んだ画像を表示する。したがって、画面キャプチャー用のソフトなどを用いて現像処理後の画像データが盗用されるといった事態を防ぐことができる。
【００５２】
さらに、本実施形態では、ＲＡＷ画像の最上位ビットプレーンを部分的にデータ圧縮し、その圧縮結果に電子情報を追加して、電子透かしとする。この最上位ビットプレーンは、ビット値「０」が多く、かつ「０」が連続的に発生しやすいため、圧縮効率が高い。そのため、電子情報の書き込み可能な容量を大きく確保することが可能になる。
【００５３】
《実施形態の補足事項》
なお、上述した実施形態では、ＲＡＷ画像の最上位ビットプレーンをデータ操作して電子透かしを埋め込んでいる。しかしながら、電子透かしの埋め込み処理はこれに限定されず、その他の電子透かし技術を使用してもよい。例えば、ＲＡＷ画像の画像領域の一部に、所定の文字やマークなどのパターンを埋め込んでもよい。また例えば、この埋め込みパターンを画像領域の一部と加重加算することによって、半透明パターンとしてもよい。
【００５４】
また、上述した実施形態では、電子透かし部１３を撮像装置１１に搭載している。しかしながら、実施形態はこれに限定されるものではない。例えば、撮像装置に装着される画像伝送装置などのアクセサリーに、電子透かし部１３を搭載してもよい。
なお、上述した実施形態では、電子情報に加える情報について具体例をあげて説明した。しかしながら、実施形態はこれに限定されるものではない。例えば、秘匿すべきノウハウ情報（画像処理パラメータなど）を電子情報としてもよい。
【産業上の利用可能性】
【００５５】
以上説明したように、本発明は、ＲＡＷ画像の著作権保護などに利用可能な技術である。
【図面の簡単な説明】
【００５６】
【図１】画像処理システム１の構成を示す図である。
【図２】撮像装置１１の動作を説明する流れ図である。
【図３】電子透かしの埋め込み処理の一例を説明する図である。
【図４】画像処理装置３１の動作を説明する流れ図である。
【図５】電子透かしの除去処理の一例を説明する図である。
【図６】ＲＡＷ画像の保護効果を説明する図である。
【符号の説明】
【００５７】
１…画像処理システム，１１…撮像装置，１２…撮像部，１３…電子透かし部，１４…ビットプレーン圧縮部，１５…透かし挿入部，１６…暗号化部，１７…電子情報部，１８…記録部，３１…画像処理装置，３２…透かし除去部，３３…画像処理部，３４…表示部，３５…透かし復活部，３６…記録部                                                                               
【図１】
0004635790.tif 000002
【図２】
0004635790.tif 000003
【図３】
0004635790.tif 000004
【図４】
0004635790.tif 000005
【図５】
0004635790.tif 000006
【図６】
0004635790.tif 000007